(57)【要約】  フェライト焼結体が信号ケーブルに直接かつ十分に密着し、良好なノイズ除去特性を有するフェライトシートを提供する。  折り返し部を有する可撓性のあるシート（１３）と、シート（１３）上であって前記折り返し部を除く領域に形成された複数のフェライト焼結体（１５），（１５）と、シート（１３）上であってフェライト焼結体（１５），（１５）の周囲に形成された弾性材（１７）と、前記折り返し部に沿ってシート（１３）を折り曲げた場合に弾性材（１７）同士が接着するように、弾性材（１７）上に形成された粘着層（１９）と、を備えたフェライトシート。【特許請求の範囲】
【請求項１】
折り返し部を有する可撓性のあるシートと、
前記シート上であって前記折り返し部を除く領域に形成された複数のフェライト焼結体と、
前記シート上であって前記フェライト焼結体の周囲に形成された弾性材と、
前記折り返し部に沿って前記シートを折り曲げた場合に前記弾性材同士が接着するように、前記弾性材上に形成された粘着層と、
を備えたことを特徴とするフェライトシート。
【請求項２】
前記フェライト焼結体は前記折り返し部を軸として略対称に形成されていることを特徴とする請求の範囲第１項に記載のフェライトシート。
【請求項３】
前記シートは平面視で矩形形状をなし、
前記折り返し部は前記シートの長辺方向の中央部に位置すること、
を特徴とする請求の範囲第１項または第２項に記載のフェライトシート。
【請求項４】
前記シートは平面視で矩形形状をなし、
前記弾性材は少なくとも前記折り返し部および前記シートの両端部に形成されていること、
を特徴とする請求の範囲第１項ないし第３項のいずれかに記載のフェライトシート。
【請求項５】
前記折り返し部に屈曲容易部が設けられていることを特徴とする請求の範囲第１項ないし第４項のいずれかに記載のフェライトシート。
【請求項６】
前記屈曲容易部は前記弾性材に設けられた切り込みであることを特徴とする請求の範囲第５項に記載のフェライトシート。
【請求項７】
前記屈曲容易部は前記シートに設けられた切り欠きであることを特徴とする請求の範囲第５項に記載のフェライトシート。
【請求項８】
前記屈曲容易部は前記シート上の前記弾性材が形成されていない部分であることを特徴とする請求の範囲第５項に記載のフェライトシート。
【請求項９】
前記シートは少なくとも２つに切り離され、
前記屈曲容易部は前記シートが切り離された分離部であること、
を特徴とする請求の範囲第５項に記載のフェライトシート。
【請求項１０】
前記屈曲容易部は弛ませられた前記シートが互いに貼り合わされている部分であることを特徴とする請求の範囲第５項に記載のフェライトシート。
【請求項１１】
前記シートに弾性材の形成されていない固定用シートが付加されていることを特徴とする請求の範囲第１項ないし第１０項のいずれかに記載のフェライトシート。
【請求項１２】
前記フェライト焼結体は複数個に分割されたフェライト焼結体であることを特徴とする請求の範囲第１項ないし第１１項のいずれかに記載のフェライトシート。
【請求項１３】
前記複数のフェライト焼結体の大きさが互いに異なることを特徴とする請求の範囲第１項ないし第１２項のいずれかに記載のフェライトシート。
【発明の詳細な説明】
【技術分野】
【０００１】
本発明は、フェライトシート、特に、信号ケーブルに取り付けて電波の漏れや侵入を防止したり、信号に重畳するノイズを低減・除去するために使用されるフェライトシートに関する。
【背景技術】
【０００２】
従来、電子機器・電子部品からノイズが漏れたり、電子機器・電子部品へノイズが侵入するのを防止するために、信号ケーブルに取り付けて使用する電波吸収体が種々提供されている。【０００３】
この種の電波吸収体としては、特許文献１に記載のように、フェライト焼結体の両面がテープで覆われているものが知られている。図２１に示すように、この電波吸収体では、フェライト焼結体６３，６３の両面がテープ６５，６７で覆われており、テープ６７を信号ケーブル６１に貼り付けることにより、電波吸収体を信号ケーブル６１に取り付ける。【０００４】
しかしながら、特許文献１に記載の電波吸収体では、信号ケーブル６１に取り付けた場合に、フェライト焼結体６３，６３と信号ケーブル６１との間にテープ６７が介在してしまうので、ノイズの除去が十分ではなかった。【０００５】
図２２は、サイズが２０．０ｍｍ×１５．０ｍｍ×１．０ｍｍである２枚の（一対の）フェライト焼結体にて信号ケーブルの両側を挟み込み、フェライト焼結体同士の間の距離（ギャップ）が０．２ｍｍ，０．３ｍｍ，０．４ｍｍ，０．５ｍｍである場合それぞれの、信号ケーブルのインピーダンスの周波数特性を示したグラフである。図２２に示されているように、インピーダンスの平均値はギャップが大きくなるにつれて低下し、０．３ｍｍの場合と、それより０．１ｍｍ大きい０．４ｍｍの場合とでは１０％程度も低下してしまう。そして、インピーダンスの平均値が低下してしまうと、ノイズの除去特性が低下してしまう。これにより、フェライト焼結体６３，６３と信号ケーブル６１との間にテープ６７が介在することによってギャップが大きくなり、ノイズの防止特性が低下してしまうことがわかる。【０００６】
また、信号ケーブル６１の材質によってはテープ６７と信号ケーブル６１との接着が十分でなく、信号ケーブル６１の振動によりテープ６７が剥がれ、フェライト焼結体６３，６３と信号ケーブル６１とが離間してしまう危険があった。
【特許文献１】特開２００２−２０４０９４号公報
【発明の開示】
【発明が解決しようとする課題】
【０００７】
そこで、本発明の目的は、フェライト焼結体が信号ケーブルに直接かつ十分に密着し、良好なノイズ除去特性を有するフェライトシートを提供することにある。
【課題を解決するための手段】
【０００８】
上記問題点を解決するために、本発明に係るフェライトシートは、
折り返し部を有する可撓性のあるシートと、
前記シート上であって前記折り返し部を除く領域に形成された複数のフェライト焼結体と、
前記シート上であって前記フェライト焼結体の周囲に形成された弾性材と、
前記折り返し部に沿って前記シートを折り曲げた場合に前記弾性材同士が接着するように、前記弾性材上に形成された粘着層と、
を備えたことを特徴とする。【０００９】
本発明に係るフェライトシートは、折り返し部で折り返し、信号ケーブルを挟み込んで使用する。そして、フェライト焼結体にて電波の漏洩・侵入を防止したり、信号に重畳するノイズを低減・除去する。このようなフェライトシートにおいて、フェライト焼結体が信号ケーブルに直接接触するので、高いノイズ除去効果を得ることができる。また、弾性材と弾性材とを粘着層により接着させるので接着性がよく、さらに弾性材で信号ケーブルを挟み込むようにフェライトシートを固定させるので、信号ケーブルに振動が生じても弾性材の弾性によりフェライト焼結体を信号ケーブルに常に密着させておくことができる。このフェライト焼結体と信号ケーブルとの密着性により、さらに高いノイズ除去効果を得ることができる。【００１０】
また、本発明に係るフェライトシートにおいて、前記フェライト焼結体は前記折り返し部を軸として略対称に形成されていることが好ましい。これにより、折り返し部で折り返した場合に、フェライト焼結体とフェライト焼結体が平面視で完全に重なり合い、高いノイズ除去効果を得ることができる。【００１１】
また、前記シートは平面視で矩形形状をなし、前記折り返し部は前記シートの長辺方向の中央部に位置することを特徴とする。折り返し部がシートの中央部に位置することで、粘着層が露出せず、フェライトシートが近傍の電子部品に付着することを防ぐことができる。【００１２】
また、前記シートは平面視で矩形形状をなし、前記弾性材は少なくとも前記折り返し部および前記シートの両端部に形成されていることが好ましい。これにより、折り返し部で折り返した場合に、折り返し部に形成された弾性材同士およびシートの両端部に形成された弾性材同士が粘着層により接着し、信号ケーブルを挟み込むようにフェライトシートを固定することができる。この結果、フェライト焼結体と信号ケーブルとを十分に密着させることができる。【００１３】
また、前記折り返し部には屈曲容易部が設けられていることが好ましい。屈曲容易部は、前記弾性材に形成された切り込みや、前記シートに設けられた切り欠きであってよい。また、前記シート上の前記弾性材が形成されていない部分、前記シートが切り離された分離部、または弛ませられた前記シートが互いに貼り合わされている部分であってもよい。屈曲容易部を設けることにより、折り返し部でシートを簡単に折り曲げることが可能となり、フェライトシートの信号ケーブルへの装着作業が容易となる。【００１４】
また、本発明に係るフェライトシートにおいて、前記シートには、弾性材の形成されていない固定用シートが付加されていることが好ましい。フェライトシートを折り返し部で折り返し、固定用シートを巻きつけて固定することで、フェライトシートを信号ケーブルに強固に固定することができる。【００１５】
また、前記フェライト焼結体は、複数個に分割されたフェライト焼結体であってもよい。フェライト焼結体が複数個に分割されていることで、個々のフェライト焼結体は小型・薄型となる。これにより、割れや欠けが生じにくくなる。また、個々のフェライト焼結体の間で屈曲可能となり、湾曲した信号ケーブルにも幅広く取り付けることができる。【００１６】
また、前記複数のフェライト焼結体の大きさが互いに異なっていてもよい。これにより、取り付ける際にずれが生じても、平面視でフェライト焼結体が重なり合う面積に変動が生じにくくなる。この結果、安定したノイズ除去特性を得ることができる。
【発明の効果】
【００１７】
このように本発明によれば、折り返し部を有する可撓性のあるシートと、前記シート上であって前記折り返し部を除く領域に形成された複数のフェライト焼結体と、前記シート上であって前記フェライト焼結体の周囲に形成された弾性材と、前記折り返し部に沿って前記シートを折り曲げた場合に前記弾性材同士が接着するように、前記弾性材上に形成された粘着層と、を備えているので、フェライト焼結体が信号ケーブルに直接かつ十分に密着する。この結果、高いノイズ除去効果を得ることができる。
【図面の簡単な説明】
【００１８】
【図１】本発明の第１実施例であるフェライトシートを示す平面図である。
【図２】本発明の第１実施例であるフェライトシートを示す断面図である。
【図３】図１および図２に示したフェライトシートの使用状態を示す斜視図である。
【図４】図３に示した使用状態の断面図である。
【図５】図１に示したフェライトシートの変形例を示し、（ａ）は平面図、（ｂ）は断面図、（ｃ）は正面図である。
【図６】図５に示したフェライトシートの使用状態を示す断面図である。
【図７】図１に示したフェライトシートの他の変形例を示す平面図である。
【図８】本発明の第２実施例であるフェライトシートを示す平面図である。
【図９】図８に示したフェライトシートの変形例を示す平面図である。
【図１０】図８に示したフェライトシートの他の変形例を示す平面図である。
【図１１】図８に示したフェライトシートの他の変形例を示し、（ａ）は平面図、（ｂ）は断面図である。
【図１２】図８に示したフェライトシートの他の変形例を示す断面図である。
【図１３】（ａ），（ｂ）ともに図８に示したフェライトシートの他の変形例を示す断面図である。
【図１４】本発明の第３実施例であるフェライトシートを示し、（ａ）は平面図、（ｂ）は断面図である。
【図１５】図１４に示したフェライトシートの使用状態を示す断面図である。
【図１６】図１４に示したフェライトシートの他の変形例を示す平面図である。
【図１７】本発明の第４実施例であるフェライトシートを示し、（ａ）は平面図、（ｂ）は断面図である。
【図１８】図１７に示したフェライトシートの使用状態を示す断面図である。
【図１９】本発明の第５実施例であるフェライトシートを示し、（ａ）は平面図、（ｂ）は断面図である。
【図２０】図１９に示したフェライトシートの使用状態を示す断面図である。
【図２１】従来の電波吸収体の使用状態を示す断面図である。
【図２２】インピーダンスの周波数特性を示したグラフである。
【発明を実施するための最良の形態】
【００１９】
以下、本発明に係るフェライトシートの実施例について添付図面を参照して説明する。【００２０】
（第１実施例）
図１は第１実施例であるフェライトシートの平面図であり、図２は断面図である。図１に示すように、第１実施例であるフェライトシート１１Ａには、折り返し部１２（破線で領域を示す）を有する可撓性のあるシート１３上に２つのフェライト焼結体１５，１５が形成されている。折り返し部１２はシート１３の長辺方向の中央部に設けられている。なお、ここで折り返し部１２とは、フェライトシート１１Ａを折り返すシート１３上の任意の領域を指す。また、フェライト焼結体１５，１５は、折り返し部１２を除く領域に形成され、折り返し部１２を軸として略対称をなしている。そして、図２に示すように、シート１３上のフェライト焼結体１５，１５の周囲には弾性材１７が形成され、弾性材１７上には、折り返し部１２で折り返した場合に弾性材１７同士が接着するように粘着層１９が形成されている。【００２１】
シート１３は樹脂またはゴムからなり、平面視で四角形である。また、フェライト焼結体１５，１５および弾性材１７を形成する面は粘着性を有している。このシート１３の粘着性によりフェライト焼結体１５，１５および弾性材１７がシート１３上に固定される。なお、シート１３が伸縮性を有する材料により形成されている場合には、様々な厚みの信号ケーブルに対してフェライトシート１１Ａを取り付けることが容易となる。【００２２】
また、フェライト焼結体１５，１５はＮｉ−Ｚｎを主成分として形成され、平面視で四角形である。また、弾性材１７は、ウレタンにより形成されている。【００２３】
第１実施例において、シート１３のサイズは縦１４ｍｍ、横９ｍｍ（折り返し部１２で分割された片側のサイズ）であり、フェライト焼結体１５，１５のサイズは縦１０ｍｍ、横５ｍｍ、高さ０．５ｍｍである。なお、シート１３、フェライト焼結体１５，１５および弾性材１７の成分やサイズは一例であることは勿論である。【００２４】
このフェライトシート１１Ａは、図３に示すように、フェライト焼結体１５，１５および弾性材１７が内側になるように折り返し部１２で折り返すことにより、信号ケーブル２１を挟み込んで使用する。図４は使用状態の断面図であるが、図４に示すように、弾性材１７と弾性材１７が粘着層１９により接着することにより、フェライトシート１１Ａが信号ケーブル２１に固定されている。【００２５】
フェライト焼結体１５，１５が信号ケーブル２１に直接接触するので、高いノイズ除去効果を得ることができる。また、弾性材１７と弾性材１７とを粘着層１９により接着させるので、接着性がよい。さらに、弾性材１７で信号ケーブル２１を挟み込むようにフェライトシート１１Ａを信号ケーブル２１に固定させているので、信号ケーブル２１に振動が生じても、弾性材１７の弾性によりフェライト焼結体１５，１５を信号ケーブル２１に常に密着させておくことができる。【００２６】
また、フェライト焼結体１５，１５および弾性材１７が可撓性を有するシート１３上に形成されているので、信号ケーブル２１の大きさに関わらず、フェライト焼結体１５，１５が信号ケーブル２１に直接かつ十分に密着するように挟み込むことができる。【００２７】
また、弾性材１７がフェライト焼結体１５，１５の周囲に形成されているので、フェライト焼結体１５，１５が破損しても弾性材１７によりフェライト焼結体１５，１５の飛散を防止することができる。【００２８】
さらに、本第１実施例では、折り返し部１２をシート１３の中央部に設けているので、粘着層１９が露出せず、フェライトシート１１Ａが近傍の電子部品に付着しない。また、フェライト焼結体１５，１５が折り返し部１２を軸として略対称に形成されているので、平面視でフェライト焼結体１５，１５が重なり合い、ノイズの除去特性が良好となる。【００２９】
本第１実施例のフェライトシート１１Ａは図２に示すように、弾性材１７の厚みがフェライト焼結体１５の厚みよりも薄くなっている。このような構成によれば、図４に示すように信号ケーブル２１を挟み込んだ場合に、信号ケーブル２１にフェライト焼結体１５，１５を押し当てる作用を発生させることができる。これにより、フェライト焼結体１５，１５の信号ケーブル２１に対する密着性をさらに向上させることができる。【００３０】
なお、折り返し部１２およびシート１３の両端部に形成される弾性材１７の厚みは、フェライト焼結体１５，１５の厚みより厚くてもよい。すなわち、図５（ａ）〜（ｃ）に示すように、折り返し部１２およびシート１３の両端部に形成される弾性材１７ａをフェライト焼結体１５，１５より厚く形成し、その他の領域に形成される弾性材１７ｂをフェライト焼結体１５，１５より薄く形成してもよい。このように構成することで、図６に示すように信号ケーブル２１を挟み込んだ場合に、信号ケーブル２１からはみだして信号ケーブル２１に接しないフェライト焼結体１５，１５を弾性材１７ａが十分に支えることができ、フェライト焼結体１５，１５の割れを防止することができる。【００３１】
また、弾性材１７は折り返し部１２およびシート１３の両端部に形成されていれば、弾性材１７同士が接着し、フェライト焼結体１５，１５を信号ケーブル２１に直接かつ十分に密着させることができる。よって、図７に示すように、折り返し部１２およびシート１３の両端部以外の領域には弾性材１７が形成されていなくてもよい。【００３２】
（第２実施例）
図８に示すように、第２実施例であるフェライトシート１１Ｂは、基本的には前記第１実施例であるフェライトシート１１Ａと同様に、シート１３上にフェライト焼結体１５，１５および弾性材１７が形成されたものであるが、フェライト焼結体１５，１５の間の折り返し部１２に形成された弾性材１７に切り込み３１が設けられている。弾性材１７に切り込み３１を設けることで、折り返し部１２でシート１３が屈曲しやすくなり、フェライトシート１１Ｂを信号ケーブルに取り付けることが容易となる。【００３３】
第２実施例のフェライトシート１１Ｂでは、切り込み３１は直線状に設けられているが、破線状であっても鎖状に形成されていてもよい。また、切り込み３１はシート１３に達してもよいし、シート１３に達しない程度の深さとしてもよい。【００３４】
なお、シート１３を屈曲しやすくするために形成された屈曲容易部は、弾性材１７に設けられた切り込み３１に限られず、図９に示すように、シート１３に設けられた切り欠き３３であってもよい。切り欠き３３は、図９に示すように三角形状であっても、図１０に示すように半円形状であってもよい。【００３５】
また屈曲容易部は、図１１（ａ）および（ｂ）に示すように、シート１３上の弾性材１７が形成されない部分３５であってもよい。シート１３に設けられた弾性材１７の形成されていない部分３５により、シート１３の屈曲が容易となり、信号ケーブルにフェライトシート１１Ｂを容易に取り付けることができる。【００３６】
また、屈曲容易部は、図１２に示すように、シート１３が切り離された分離部３７であってもよい。折り返し部１２で２つに切り離されたシート１３の分離部３７により、シート１３が屈曲しやすくなり、信号ケーブルにフェライトシート１１Ｂを容易に取り付けることができる。【００３７】
また、シート１３を屈曲しやすくするために、図１３（ａ）に示すように、弛ませたシート１３を互いに貼り合わせてもよい。これにより、折り返し部１２でシート１３を屈曲しやすくなると共に、シート１３の貼り合わせ部分３９を掴むことにより、フェライトシート１１Ｂを保持しやすくなる。この結果、フェライトシート１１Ｂの取り扱いが容易となる。なお、シート１３を貼り合わせるには、一枚のシート１３を用いる必要はなく、図１３（ｂ）に示すように２枚のシートを折り返し部１２で貼り合わせてもよい。【００３８】
（第３実施例）
図１４（ａ）および（ｂ）に示すように、第３実施例であるフェライトシート１１Ｃは、シート１３の長辺方向の一方に弾性材１７の形成されていない固定用シート４３が付加されたものである。なお、固定用シート４３は、弾性材１７が形成されたシート１３と一体をなしている。その他の構成は、前記第１の実施例であるフェライトシート１１Ａと同様である。【００３９】
このフェライトシート１１Ｃによれば、図１５に示すように、フェライトシート１１Ｃを折り返し部１２で折り返した場合に、固定用シート４３を弾性材１７およびシート１３の弾性材１７が形成されていない面にさらに巻きつけることができる。弾性材１７およびシート１３と接着する固定用シート４３の面は粘着性を有し、この粘着性により固定用シート４３が固定される。これにより、フェライトシート１１Ｃの両端部において接着した弾性材１７と弾性材１７とを離間させにくくする。この結果、フェライトシート１１Ｃを信号ケーブル２１に強固に固定することができる。【００４０】
なお、フェライトシート１１Ｃを信号ケーブル２１に強固に固定するためには、固定用シート４３は１ｍｍ以上の長さを有することが望ましい。また、固定用シート４３を付加する位置は、シート１３の長辺方向に限られず、図１６に示すように、シート１３の短辺方向に設けてもよい。【００４１】
（第４実施例）
図１７（ａ）および（ｂ）に示すように、第４実施例であるフェライトシート１１Ｄは、フェライト焼結体１５，１５が複数個に分割されたものである。その他の構成は、前記第１実施例であるフェライトシート１１Ａと同様である。【００４２】
このフェライトシート１１Ｄは、図１８に示すように、信号ケーブル２１に取り付ける。フェライト焼結体１５，１５が複数個に分割されているので、個々のフェライト焼結体は小型・薄型であり、割れや欠けが生じにくく、フェライトシート１１Ｄの大きさや形状を容易に変更でき、製造コストの低減を図ることができる。また、分割された個々のフェライト焼結体が整列しているので、屈曲可能であり、信号ケーブル２１の湾曲にも対応することが可能となる。【００４３】
（第５実施例）
図１９に示すように、第５実施例であるフェライトシート１１Ｅは、フェライト焼結体１５ａ，１５ｂの大きさが互いに異なっている。すなわち、フェライト焼結体１５ａの大きさは、フェライト焼結体１５ｂよりも大きく形成されている。その他の構成は、前記第１実施例であるフェライトシート１１Ａと同様である。【００４４】
このフェライトシート１１Ｅにあっては、フェライト焼結体１５ａ，１５ｂの大きさが異なっているので、図２０に示すようにフェライトシート１１Ｅを信号ケーブル２１に取り付けた場合にずれが生じても、フェライト焼結体１５ａ，１５ｂでの重なり面積に変動が生じにくい。これにより、安定したノイズの吸収特性を得ることができる。【００４５】
（他の実施例）
なお、本発明に係るフェライトシートは前記実施例に限定するものではなく、その要旨の範囲内で種々に変更できることは勿論である。例えば、前記実施例においてはシート上に２つのフェライト焼結体を形成したが、フェライト焼結体は３つ以上であってもよい。また、弾性材は、不織布、和紙、ゴムまたは樹脂から形成することも可能であり、弾性材自体に粘着性をもたせてもよい。
【産業上の利用可能性】
【００４６】
以上のように、本発明は、電波の漏れや侵入を防止したり、ノイズを低減・除去するフェライトシートに有用であり、特に、フェライト焼結体が信号ケーブルに直接かつ十分に密着し、良好なノイズ除去特性を有する点で優れている。
【図１】
2007007511.tif 000002
【図２】
2007007511.tif 000003
【図３】
2007007511.tif 000004
【図４】
2007007511.tif 000005
【図５】
2007007511.tif 000006
【図６】
2007007511.tif 000007
【図７】
2007007511.tif 000008
【図８】
2007007511.tif 000009
【図９】
2007007511.tif 000010
【図１０】
2007007511.tif 000011
【図１１】
2007007511.tif 000012
【図１２】
2007007511.tif 000013
【図１３】
2007007511.tif 000014
【図１４】
2007007511.tif 000015
【図１５】
2007007511.tif 000016
【図１６】
2007007511.tif 000017
【図１７】
2007007511.tif 000018
【図１８】
2007007511.tif 000019
【図１９】
2007007511.tif 000020
【図２０】
2007007511.tif 000021
【図２１】
2007007511.tif 000022
【図２２】
2007007511.tif 000023
【手続補正書】
【提出日】平成19年6月29日(2007.6.29)
【手続補正１】
【補正対象書類名】特許請求の範囲
【補正対象項目名】全文
【補正方法】変更
【補正の内容】
【特許請求の範囲】
【請求項１】
折り返し部を有する可撓性のあるシートと、
前記シート上であって前記折り返し部を除く領域に形成された複数のフェライト焼結体と、
前記シート上であって前記フェライト焼結体の周囲に形成され、前記フェライト焼結体よりも厚みが薄い弾性材と、
前記折り返し部に沿って前記シートを折り曲げた場合に前記弾性材同士が接着するように、前記弾性材上に形成された粘着層と、
を備えたことを特徴とするフェライトシート。
【請求項２】
前記フェライト焼結体は前記シートを折り返す前の平面状態で前記折り返し部を軸として対称に形成されていることを特徴とする請求項１に記載のフェライトシート。
【請求項３】
前記シートは平面視で矩形形状をなし、
前記折り返し部は前記シートの長辺方向の中央部に位置すること、
を特徴とする請求項１または請求項２に記載のフェライトシート。
【請求項４】
前記シートは平面視で矩形形状をなし、
前記弾性材は少なくとも前記折り返し部および前記シートの両端部に形成されていること、
を特徴とする請求項１ないし請求項３のいずれかに記載のフェライトシート。
【請求項５】
前記折り返し部に屈曲容易部が設けられていることを特徴とする請求項１ないし請求項４のいずれかに記載のフェライトシート。
【請求項６】
前記屈曲容易部は前記弾性材に設けられた切り込みであることを特徴とする請求項５に記載のフェライトシート。
【請求項７】
前記屈曲容易部は前記シートに設けられた切り欠きであることを特徴とする請求項５に記載のフェライトシート。
【請求項８】
前記屈曲容易部は前記シート上の前記弾性材が形成されていない部分であることを特徴とする請求項５に記載のフェライトシート。
【請求項９】
前記シートは少なくとも２つに切り離され、
前記屈曲容易部は前記シートが切り離された分離部であること、
を特徴とする請求項５に記載のフェライトシート。
【請求項１０】
前記屈曲容易部は弛ませられた前記シートが互いに貼り合わされている部分であることを特徴とする請求項５に記載のフェライトシート。
【請求項１１】
前記シートに弾性材の形成されていない固定用シートが付加されていることを特徴とする請求項１ないし請求項１０のいずれかに記載のフェライトシート。
【請求項１２】
前記フェライト焼結体は複数個に分割されたフェライト焼結体であることを特徴とする請求項１ないし請求項１１のいずれかに記載のフェライトシート。
【請求項１３】
前記複数のフェライト焼結体の大きさが互いに異なることを特徴とする請求項１ないし請求項１２のいずれかに記載のフェライトシート。
【手続補正２】
【補正対象書類名】明細書
【補正対象項目名】全文
【補正方法】変更
【補正の内容】
【発明の詳細な説明】
【技術分野】
【０００１】
本発明は、フェライトシート、特に、信号ケーブルに取り付けて電波の漏れや侵入を防止したり、信号に重畳するノイズを低減・除去するために使用されるフェライトシートに関する。
【背景技術】
【０００２】
従来、電子機器・電子部品からノイズが漏れたり、電子機器・電子部品へノイズが侵入するのを防止するために、信号ケーブルに取り付けて使用する電波吸収体が種々提供されている。
【０００３】
この種の電波吸収体としては、特許文献１に記載のように、フェライト焼結体の両面がテープで覆われているものが知られている。図１９に示すように、この電波吸収体では、フェライト焼結体６３，６３の両面がテープ６５，６７で覆われており、テープ６７を信号ケーブル６１に貼り付けることにより、電波吸収体を信号ケーブル６１に取り付ける。
【０００４】
しかしながら、特許文献１に記載の電波吸収体では、信号ケーブル６１に取り付けた場合に、フェライト焼結体６３，６３と信号ケーブル６１との間にテープ６７が介在してしまうので、ノイズの除去が十分ではなかった。
【０００５】
図２０は、サイズが２０．０ｍｍ×１５．０ｍｍ×１．０ｍｍである２枚の（一対の）フェライト焼結体にて信号ケーブルの両側を挟み込み、フェライト焼結体同士の間の距離（ギャップ）が０．２ｍｍ，０．３ｍｍ，０．４ｍｍ，０．５ｍｍである場合それぞれの、信号ケーブルのインピーダンスの周波数特性を示したグラフである。図２０に示されているように、インピーダンスの平均値はギャップが大きくなるにつれて低下し、０．３ｍｍの場合と、それより０．１ｍｍ大きい０．４ｍｍの場合とでは１０％程度も低下してしまう。そして、インピーダンスの平均値が低下してしまうと、ノイズの除去特性が低下してしまう。これにより、フェライト焼結体６３，６３と信号ケーブル６１との間にテープ６７が介在することによってギャップが大きくなり、ノイズの防止特性が低下してしまうことがわかる。
【０００６】
また、信号ケーブル６１の材質によってはテープ６７と信号ケーブル６１との接着が十分でなく、信号ケーブル６１の振動によりテープ６７が剥がれ、フェライト焼結体６３，６３と信号ケーブル６１とが離間してしまう危険があった。
【特許文献１】特開２００２−２０４０９４号公報
【発明の開示】
【発明が解決しようとする課題】
【０００７】
そこで、本発明の目的は、フェライト焼結体が信号ケーブルに直接かつ十分に密着し、良好なノイズ除去特性を有するフェライトシートを提供することにある。
【課題を解決するための手段】
【０００８】
上記問題点を解決するために、本発明に係るフェライトシートは、
折り返し部を有する可撓性のあるシートと、
前記シート上であって前記折り返し部を除く領域に形成された複数のフェライト焼結体と、
前記シート上であって前記フェライト焼結体の周囲に形成され、前記フェライト焼結体よりも厚みが薄い弾性材と、
前記折り返し部に沿って前記シートを折り曲げた場合に前記弾性材同士が接着するように、前記弾性材上に形成された粘着層と、
を備えたことを特徴とする。
【０００９】
本発明に係るフェライトシートは、折り返し部で折り返し、信号ケーブルを挟み込んで使用する。そして、フェライト焼結体にて電波の漏洩・侵入を防止したり、信号に重畳するノイズを低減・除去する。このようなフェライトシートにおいて、フェライト焼結体が信号ケーブルに直接接触するので、高いノイズ除去効果を得ることができる。また、弾性材と弾性材とを粘着層により接着させるので接着性がよく、さらに弾性材で信号ケーブルを挟み込むようにフェライトシートを固定させるので、信号ケーブルに振動が生じても弾性材の弾性によりフェライト焼結体を信号ケーブルに常に密着させておくことができる。このフェライト焼結体と信号ケーブルとの密着性により、さらに高いノイズ除去効果を得ることができる。
【００１０】
また、本発明に係るフェライトシートにおいて、前記フェライト焼結体は前記シートを折り返す前の平面状態で前記折り返し部を軸として対称に形成されていることが好ましい。これにより、折り返し部で折り返した場合に、フェライト焼結体とフェライト焼結体が平面視で完全に重なり合い、高いノイズ除去効果を得ることができる。
【００１１】
また、前記シートは平面視で矩形形状をなし、前記折り返し部は前記シートの長辺方向の中央部に位置することを特徴とする。折り返し部がシートの中央部に位置することで、粘着層が露出せず、フェライトシートが近傍の電子部品に付着することを防ぐことができる。
【００１２】
また、前記シートは平面視で矩形形状をなし、前記弾性材は少なくとも前記折り返し部および前記シートの両端部に形成されていることが好ましい。これにより、折り返し部で折り返した場合に、折り返し部に形成された弾性材同士およびシートの両端部に形成された弾性材同士が粘着層により接着し、信号ケーブルを挟み込むようにフェライトシートを固定することができる。この結果、フェライト焼結体と信号ケーブルとを十分に密着させることができる。
【００１３】
また、前記折り返し部には屈曲容易部が設けられていることが好ましい。屈曲容易部は、前記弾性材に形成された切り込みや、前記シートに設けられた切り欠きであってよい。また、前記シート上の前記弾性材が形成されていない部分、前記シートが切り離された分離部、または弛ませられた前記シートが互いに貼り合わされている部分であってもよい。屈曲容易部を設けることにより、折り返し部でシートを簡単に折り曲げることが可能となり、フェライトシートの信号ケーブルへの装着作業が容易となる。
【００１４】
また、本発明に係るフェライトシートにおいて、前記シートには、弾性材の形成されていない固定用シートが付加されていることが好ましい。フェライトシートを折り返し部で折り返し、固定用シートを巻きつけて固定することで、フェライトシートを信号ケーブルに強固に固定することができる。
【００１５】
また、前記フェライト焼結体は、複数個に分割されたフェライト焼結体であってもよい。フェライト焼結体が複数個に分割されていることで、個々のフェライト焼結体は小型・薄型となる。これにより、割れや欠けが生じにくくなる。また、個々のフェライト焼結体の間で屈曲可能となり、湾曲した信号ケーブルにも幅広く取り付けることができる。
【００１６】
また、前記複数のフェライト焼結体の大きさが互いに異なっていてもよい。これにより、取り付ける際にずれが生じても、平面視でフェライト焼結体が重なり合う面積に変動が生じにくくなる。この結果、安定したノイズ除去特性を得ることができる。
【発明の効果】
【００１７】
このように本発明によれば、折り返し部を有する可撓性のあるシートと、前記シート上であって前記折り返し部を除く領域に形成された複数のフェライト焼結体と、前記シート上であって前記フェライト焼結体の周囲に形成され、前記フェライト焼結体よりも厚みが薄い弾性材と、前記折り返し部に沿って前記シートを折り曲げた場合に前記弾性材同士が接着するように、前記弾性材上に形成された粘着層と、を備えているので、フェライト焼結体が信号ケーブルに直接かつ十分に密着する。この結果、高いノイズ除去効果を得ることができる。
【発明を実施するための最良の形態】
【００１８】
以下、本発明に係るフェライトシートの実施例について添付図面を参照して説明する。
【００１９】
（第１実施例）
図１は第１実施例であるフェライトシートの平面図であり、図２は断面図である。図１に示すように、第１実施例であるフェライトシート１１Ａには、折り返し部１２（破線で領域を示す）を有する可撓性のあるシート１３上に２つのフェライト焼結体１５，１５が形成されている。折り返し部１２はシート１３の長辺方向の中央部に設けられている。なお、ここで折り返し部１２とは、フェライトシート１１Ａを折り返すシート１３上の任意の領域を指す。また、フェライト焼結体１５，１５は、折り返し部１２を除く領域に形成され、折り返し部１２を軸として略対称をなしている。そして、図２に示すように、シート１３上のフェライト焼結体１５，１５の周囲には弾性材１７が形成され、弾性材１７上には、折り返し部１２で折り返した場合に弾性材１７同士が接着するように粘着層１９が形成されている。
【００２０】
シート１３は樹脂またはゴムからなり、平面視で四角形である。また、フェライト焼結体１５，１５および弾性材１７を形成する面は粘着性を有している。このシート１３の粘着性によりフェライト焼結体１５，１５および弾性材１７がシート１３上に固定される。なお、シート１３が伸縮性を有する材料により形成されている場合には、様々な厚みの信号ケーブルに対してフェライトシート１１Ａを取り付けることが容易となる。
【００２１】
また、フェライト焼結体１５，１５はＮｉ−Ｚｎを主成分として形成され、平面視で四角形である。また、弾性材１７は、ウレタンにより形成されている。
【００２２】
第１実施例において、シート１３のサイズは縦１４ｍｍ、横９ｍｍ（折り返し部１２で分割された片側のサイズ）であり、フェライト焼結体１５，１５のサイズは縦１０ｍｍ、横５ｍｍ、高さ０．５ｍｍである。なお、シート１３、フェライト焼結体１５，１５および弾性材１７の成分やサイズは一例であることは勿論である。
【００２３】
このフェライトシート１１Ａは、図３に示すように、フェライト焼結体１５，１５および弾性材１７が内側になるように折り返し部１２で折り返すことにより、信号ケーブル２１を挟み込んで使用する。図４は使用状態の断面図であるが、図４に示すように、弾性材１７と弾性材１７が粘着層１９により接着することにより、フェライトシート１１Ａが信号ケーブル２１に固定されている。
【００２４】
フェライト焼結体１５，１５が信号ケーブル２１に直接接触するので、高いノイズ除去効果を得ることができる。また、弾性材１７と弾性材１７とを粘着層１９により接着させるので、接着性がよい。さらに、弾性材１７で信号ケーブル２１を挟み込むようにフェライトシート１１Ａを信号ケーブル２１に固定させているので、信号ケーブル２１に振動が生じても、弾性材１７の弾性によりフェライト焼結体１５，１５を信号ケーブル２１に常に密着させておくことができる。
【００２５】
また、フェライト焼結体１５，１５および弾性材１７が可撓性を有するシート１３上に形成されているので、信号ケーブル２１の大きさに関わらず、フェライト焼結体１５，１５が信号ケーブル２１に直接かつ十分に密着するように挟み込むことができる。
【００２６】
また、弾性材１７がフェライト焼結体１５，１５の周囲に形成されているので、フェライト焼結体１５，１５が破損しても弾性材１７によりフェライト焼結体１５，１５の飛散を防止することができる。
【００２７】
さらに、本第１実施例では、折り返し部１２をシート１３の中央部に設けているので、粘着層１９が露出せず、フェライトシート１１Ａが近傍の電子部品に付着しない。また、フェライト焼結体１５，１５が折り返し部１２を軸として略対称に形成されているので、平面視でフェライト焼結体１５，１５が重なり合い、ノイズの除去特性が良好となる。
【００２８】
本第１実施例のフェライトシート１１Ａは図２に示すように、弾性材１７の厚みがフェライト焼結体１５の厚みよりも薄くなっている。このような構成によれば、図４に示すように信号ケーブル２１を挟み込んだ場合に、信号ケーブル２１にフェライト焼結体１５，１５を押し当てる作用を発生させることができる。これにより、フェライト焼結体１５，１５の信号ケーブル２１に対する密着性をさらに向上させることができる。
【００２９】
また、弾性材１７は折り返し部１２およびシート１３の両端部に形成されていれば、弾性材１７同士が接着し、フェライト焼結体１５，１５を信号ケーブル２１に直接かつ十分に密着させることができる。よって、図５に示すように、折り返し部１２およびシート１３の両端部以外の領域には弾性材１７が形成されていなくてもよい。
【００３０】
（第２実施例）
図６に示すように、第２実施例であるフェライトシート１１Ｂは、基本的には前記第１実施例であるフェライトシート１１Ａと同様に、シート１３上にフェライト焼結体１５，１５および弾性材１７が形成されたものであるが、フェライト焼結体１５，１５の間の折り返し部１２に形成された弾性材１７に切り込み３１が設けられている。弾性材１７に切り込み３１を設けることで、折り返し部１２でシート１３が屈曲しやすくなり、フェライトシート１１Ｂを信号ケーブルに取り付けることが容易となる。
【００３１】
第２実施例のフェライトシート１１Ｂでは、切り込み３１は直線状に設けられているが、破線状であっても鎖状に形成されていてもよい。また、切り込み３１はシート１３に達してもよいし、シート１３に達しない程度の深さとしてもよい。
【００３２】
なお、シート１３を屈曲しやすくするために形成された屈曲容易部は、弾性材１７に設けられた切り込み３１に限られず、図７に示すように、シート１３に設けられた切り欠き３３であってもよい。切り欠き３３は、図７に示すように三角形状であっても、図８に示すように半円形状であってもよい。
【００３３】
また屈曲容易部は、図９（ａ）および（ｂ）に示すように、シート１３上の弾性材１７が形成されない部分３５であってもよい。シート１３に設けられた弾性材１７の形成されていない部分３５により、シート１３の屈曲が容易となり、信号ケーブルにフェライトシート１１Ｂを容易に取り付けることができる。
【００３４】
また、屈曲容易部は、図１０に示すように、シート１３が切り離された分離部３７であってもよい。折り返し部１２で２つに切り離されたシート１３の分離部３７により、シート１３が屈曲しやすくなり、信号ケーブルにフェライトシート１１Ｂを容易に取り付けることができる。
【００３５】
また、シート１３を屈曲しやすくするために、図１１（ａ）に示すように、弛ませたシート１３を互いに貼り合わせてもよい。これにより、折り返し部１２でシート１３を屈曲しやすくなると共に、シート１３の貼り合わせ部分３９を掴むことにより、フェライトシート１１Ｂを保持しやすくなる。この結果、フェライトシート１１Ｂの取り扱いが容易となる。なお、シート１３を貼り合わせるには、一枚のシート１３を用いる必要はなく、図１１（ｂ）に示すように２枚のシートを折り返し部１２で貼り合わせてもよい。
【００３６】
（第３実施例）
図１２（ａ）および（ｂ）に示すように、第３実施例であるフェライトシート１１Ｃは、シート１３の長辺方向の一方に弾性材１７の形成されていない固定用シート４３が付加されたものである。なお、固定用シート４３は、弾性材１７が形成されたシート１３と一体をなしている。その他の構成は、前記第１の実施例であるフェライトシート１１Ａと同様である。
【００３７】
このフェライトシート１１Ｃによれば、図１３に示すように、フェライトシート１１Ｃを折り返し部１２で折り返した場合に、固定用シート４３を弾性材１７およびシート１３の弾性材１７が形成されていない面にさらに巻きつけることができる。弾性材１７およびシート１３と接着する固定用シート４３の面は粘着性を有し、この粘着性により固定用シート４３が固定される。これにより、フェライトシート１１Ｃの両端部において接着した弾性材１７と弾性材１７とを離間させにくくする。この結果、フェライトシート１１Ｃを信号ケーブル２１に強固に固定することができる。
【００３８】
なお、フェライトシート１１Ｃを信号ケーブル２１に強固に固定するためには、固定用シート４３は１ｍｍ以上の長さを有することが望ましい。また、固定用シート４３を付加する位置は、シート１３の長辺方向に限られず、図１４に示すように、シート１３の短辺方向に設けてもよい。
【００３９】
（第４実施例）
図１５（ａ）および（ｂ）に示すように、第４実施例であるフェライトシート１１Ｄは、フェライト焼結体１５，１５が複数個に分割されたものである。その他の構成は、前記第１実施例であるフェライトシート１１Ａと同様である。
【００４０】
このフェライトシート１１Ｄは、図１６に示すように、信号ケーブル２１に取り付ける。フェライト焼結体１５，１５が複数個に分割されているので、個々のフェライト焼結体は小型・薄型であり、割れや欠けが生じにくく、フェライトシート１１Ｄの大きさや形状を容易に変更でき、製造コストの低減を図ることができる。また、分割された個々のフェライト焼結体が整列しているので、屈曲可能であり、信号ケーブル２１の湾曲にも対応することが可能となる。
【００４１】
（第５実施例）
図１７に示すように、第５実施例であるフェライトシート１１Ｅは、フェライト焼結体１５ａ，１５ｂの大きさが互いに異なっている。すなわち、フェライト焼結体１５ａの大きさは、フェライト焼結体１５ｂよりも大きく形成されている。その他の構成は、前記第１実施例であるフェライトシート１１Ａと同様である。
【００４２】
このフェライトシート１１Ｅにあっては、フェライト焼結体１５ａ，１５ｂの大きさが異なっているので、図１８に示すようにフェライトシート１１Ｅを信号ケーブル２１に取り付けた場合にずれが生じても、フェライト焼結体１５ａ，１５ｂでの重なり面積に変動が生じにくい。これにより、安定したノイズの吸収特性を得ることができる。
【００４３】
（他の実施例）
なお、本発明に係るフェライトシートは前記実施例に限定するものではなく、その要旨の範囲内で種々に変更できることは勿論である。例えば、前記実施例においてはシート上に２つのフェライト焼結体を形成したが、フェライト焼結体は３つ以上であってもよい。また、弾性材は、不織布、和紙、ゴムまたは樹脂から形成することも可能であり、弾性材自体に粘着性をもたせてもよい。
【産業上の利用可能性】
【００４４】
以上のように、本発明は、電波の漏れや侵入を防止したり、ノイズを低減・除去するフェライトシートに有用であり、特に、フェライト焼結体が信号ケーブルに直接かつ十分に密着し、良好なノイズ除去特性を有する点で優れている。
【図面の簡単な説明】
【００４５】
【図１】本発明の第１実施例であるフェライトシートを示す平面図である。
【図２】本発明の第１実施例であるフェライトシートを示す断面図である。
【図３】図１および図２に示したフェライトシートの使用状態を示す斜視図である。
【図４】図３に示した使用状態の断面図である。
【図５】図１に示したフェライトシートの他の変形例を示す平面図である。
【図６】本発明の第２実施例であるフェライトシートを示す平面図である。
【図７】図６に示したフェライトシートの変形例を示す平面図である。
【図８】図６に示したフェライトシートの他の変形例を示す平面図である。
【図９】図６に示したフェライトシートの他の変形例を示し、（ａ）は平面図、（ｂ）は断面図である。
【図１０】図６に示したフェライトシートの他の変形例を示す断面図である。
【図１１】（ａ），（ｂ）ともに図６に示したフェライトシートの他の変形例を示す断面図である。
【図１２】本発明の第３実施例であるフェライトシートを示し、（ａ）は平面図、（ｂ）は断面図である。
【図１３】図１２に示したフェライトシートの使用状態を示す断面図である。
【図１４】図１２に示したフェライトシートの他の変形例を示す平面図である。
【図１５】本発明の第４実施例であるフェライトシートを示し、（ａ）は平面図、（ｂ）は断面図である。
【図１６】図１５に示したフェライトシートの使用状態を示す断面図である。
【図１７】本発明の第５実施例であるフェライトシートを示し、（ａ）は平面図、（ｂ）は断面図である。
【図１８】図１７に示したフェライトシートの使用状態を示す断面図である。
【図１９】従来の電波吸収体の使用状態を示す断面図である。
【図２０】インピーダンスの周波数特性を示したグラフである。
【符号の説明】
【００４６】
１１Ａ〜１１Ｅ…フェライトシート
１２…折り返し部
１３…シート
１５，１５ａ，１５ｂ…フェライト焼結体
１７…弾性材
１９…粘着層
２１…信号ケーブル
４３…固定用シート
【手続補正３】
【補正対象書類名】図面
【補正対象項目名】全図
【補正方法】変更
【補正の内容】
【図１】
2007007511.tif 000024
【図２】
2007007511.tif 000025
【図３】
2007007511.tif 000026
【図４】
2007007511.tif 000027
【図５】
2007007511.tif 000028
【図６】
2007007511.tif 000029
【図７】
2007007511.tif 000030
【図８】
2007007511.tif 000031
【図９】
2007007511.tif 000032
【図１０】
2007007511.tif 000033
【図１１】
2007007511.tif 000034
【図１２】
2007007511.tif 000035
【図１３】
2007007511.tif 000036
【図１４】
2007007511.tif 000037
【図１５】
2007007511.tif 000038
【図１６】
2007007511.tif 000039
【図１７】
2007007511.tif 000040
【図１８】
2007007511.tif 000041
【図１９】
2007007511.tif 000042
【図２０】
2007007511.tif 000043
【国際調査報告】
2007007511.tif 000044
2007007511.tif 000045
2007007511.tif 000046
2007007511.tif 000047